(57)【要約】呼吸マスク（１）用のアイウエア物品（９３）は、バイザ部を提供する平坦な透明ポリマ材料片を備える。平坦なポリマ材料片は、下縁にマスクの夫々の選択された部分の上に適合する成形部と、両側から延在しマスクのヘッドハーネス（７、８）の夫々のガイド（９７）内に挿入されることにより平坦なポリマ材料片が湾曲形状を呈するようにしバイザ部を着用者の眼の正面に配置する、細長いタブ（９５）と、を有する。タブ（９５）がガイド（９７）内に摺動することができるようにしたことにより、着用者の顔面におけるマスクの位置を妨げることなくかつマスクによって提供される呼吸保護に影響を与えることなく、マスクが着用されている間にアイウエア物品をマスクから外し着用者の頂部に移動させることができる。
2005532865.tif 000002
【特許請求の範囲】
【請求項１】
ヘッドハーネスが設けられる呼吸マスクと共に使用するアイウエア物品であって、
バイザ部を提供する平坦な透明ポリマ材料片と、
マスク係合位置決め手段と、
ハーネス係合位置決め手段と、
を具備し、
該マスク係合位置決め手段と該ハーネス係合位置決め手段とが、夫々、該マスクと該ヘッドハーネスとに係合可能であることにより、該平坦な透明ポリマ材料片が湾曲形状を呈するようになり、該マスクが着用されている時、該バイザ部が該着用者の眼の正面に配置されて該ポリマ材料片が該着用者の顔面の一方の側部から他方の側部まで延在し、
該マスクが着用されている間に該マスクおよび／または該ヘッドハーネスから外すことができるようにしたことにより、該着用者の顔面における該マスクの位置を妨げることなくかつ該マスクによって提供される呼吸保護に影響を与えることなく該着用者の視線から取り除くことができる、アイウエア物品。
【請求項２】
前記マスクが着用されている間に、前記マスク係合位置決め手段と前記ハーネス係合位置決め手段とを、夫々、該マスクと前記ヘッドハーネスとから外すことができるようにしたことにより、前記着用者の顔面における該マスクの位置を妨げることなくかつ該マスクによって提供される前記呼吸保護に影響を与えることなく該マスクから完全に取り除くことができる、請求項１に記載のアイウエア物品。
【請求項３】
前記マスクが着用されている間に、前記ハーネス係合位置決め手段を前記ヘッドハーネスから外すことができるようにしたことにより、前記着用者の顔面における該マスクの位置を妨げることなくかつ該マスクによって提供される前記呼吸保護に影響を与えることなく、該マスクに係合し続けたまま該着用者の前記視線から取り除くことができる、請求項１に記載のアイウエア物品。
【請求項４】
前記マスクが着用されている間に、前記マスク係合位置決め手段を該マスクから外すことができるようにしたことにより、前記着用者の顔面における該マスクの位置を妨げることなくかつ該マスクによって提供される前記呼吸保護に影響を与えることなく、前記ヘッドハーネスに係合し続けたまま該着用者の前記視線から取り除くことができる、請求項１に記載のアイウエア物品。
【請求項５】
中央に位置する呼気弁を有する呼吸マスクと共に使用し、前記マスク係合位置決め手段が、前記平坦なポリマ材料片に、該呼気弁構造の上に位置するような形状を有する開口を有し、前記バイザ部が、該マスク係合位置決め手段に対して前方に枢動することにより、前記着用者の顔面における該マスクの位置を妨げることなくかつ該マスクによって提供される前記呼吸保護に影響を与えることなく、当該アイウエア物品を該マスクに係合し続けたまま該着用者の前記視線から取り除くことができるようにすることができる、請求項１に記載のアイウエア物品。
【請求項６】
中央に配置された呼気弁を有する呼吸マスクと共に使用し、前記マスク位置決め係合手段が、該呼気弁構造の上に嵌合する前記平坦なポリマ材料片の下縁に形成された少なくとも１つの成形部分を有する、請求項１に記載のアイウエア物品。
【請求項７】
前記マスクの中央部の両側にフィルタを有する呼吸マスクと共に使用し、前記マスク位置決め係合手段が、該フィルタまたは該フィルタの該マスクへの取付部の上に適合する前記平坦なポリマ材料片の下縁に形成された成形部分を有する、請求項１に記載のアイウエア物品。
【請求項８】
前記ハーネス係合位置決め手段が、前記平坦なポリマ材料片の両側から延在し、前記ヘッドハーネスの夫々のガイドに摺動可能に配置されることにより当該アイウエア物品が前記着用者の頭部の頂部に向かってかつ該着用者の視線から外れるように移動することができるようにする、細長いタブを備える、請求項１に記載のアイウエア物品。
【請求項９】
前記平坦なポリマ材料片が、少なくとも部分的にフレームによって包囲される、請求項１に記載のアイウエア物品。
【請求項１０】
前記着用者の前記顔面に隣接する側部において少なくとも部分的に当該アイウエア物品の周縁の周囲に延在するシール材のストリップを具備する、請求項１に記載のアイウエア物品。
【発明の詳細な説明】
【技術分野】
【０００１】
本発明は、呼吸マスクと共に使用するアイウエア物品に関する。
【背景技術】
【０００２】
呼吸マスクは、空気中に有毒または有害な汚染物質が存在する環境、たとえば塗料を噴霧する小室において着用される。マスクは、着用者が空中の汚染物質を吸い込まないようにするために着用される。作業によっては、飛散粒子、液滴または他の汚染物質が生成される場合がある。これらの空中の物質は人間の眼を刺激する場合があり、したがって、呼吸保護具とともに眼保護具を着用することが望ましい。着用者の顔面または頭部全体を覆う呼吸マスクを使用する場合もあり、またはマスク自体が眼保護具を提供しない場合は、別々のアイシールド、ゴーグルまたは眼鏡を使用することにより、呼吸マスクを使用する場合もある。
【０００３】
眼保護具を使用する場合、たとえば飛散粒子または液滴が突き当たる結果、眼保護具の視界領域が見えにくくなる場合、マスク着用者の視覚が損なわれる可能性がある。この特定の危険性は、ある作業、たとえば塗料噴霧中に発生する可能性がある。それら作業に対し、呼吸マスクとは別個の眼保護具の方が、破損した場合により容易に交換することができるためより魅力的である場合がある。
【０００４】
しかしながら、別個の眼保護具にもまた、呼吸用保護具着用者に対し問題がある場合がある。１つの問題は、眼保護具が、使用中に表面が曇る可能性があり（マスクからの暖かい空気を捕らえまたはそれに対し逃げ道を与える可能性があるため、もしくはゴーグルの場合、単に顔面に対しきつく密閉するため）、それによってまた着用者の視界が不明瞭になる。かかる眼保護具はまた、呼吸マスクを着用している時、取り付けるかまたは取り除くことが常に容易であるとは限らない。別の問題は、眼保護具と呼吸マスクとの間に適合性がない場合があるということである。この状況は特に、呼吸用保護具着用者が自身の眼を保護するためにゴーグルまたは眼鏡を身に着けようとする場合に発生する。ゴーグル／眼鏡を正しく適合させるために、着用者は、ゴーグル／眼鏡をマスクシールより下に配置することによりハーフマスクが顔面に適合しなくなる危険性をもたらす場合がある。あるいは、着用者は、ゴーグル／眼鏡のブリッジをマスクの鼻部分の上に配置することによりゴーグル／眼鏡が適合しなくなることを選択する場合もあり、それにより視野が歪み、ゴーグル／眼鏡の表面が曇り、不快感がもたらされる可能性がある。
【０００５】
多くの異なる眼／顔面保護具が提案されており、それらの例は、特許文献１、特許文献２、特許文献３、特許文献４および特許文献５に記載されている。特許文献６は、単体でまたはヘルメットと組み合わせて使用する顔面シールドを、着用者が事前に選択された複数の割り出し位置を通して完全上方位置と完全下方位置との間で移動させることができるようにする、枢支接合組立体について記載している。枢支バイザを備える保護ヘルメットについて、特許文献７、特許文献８、特許文献９および特許文献１０、特許文献１１および特許文献１２ならびに特許文献１３において記載されている。
【０００６】
また、眼保護具を呼吸ハーフマスクと結合する提案もあり、それらの例は、特許文献１４、特許文献１５、特許文献１６、特許文献１７、特許文献１８、特許文献１９および特許文献２０、特許文献２１および特許文献２２ならびに特許文献２３において記載されている。これら文書の開示内容を以下簡単に要約する。
【０００７】
特許文献１４は、中央に位置する吸入フィルタカートリッジと中央に位置する呼気フィルタ弁とを有するハーフマスクのための顔面シールドについて記載している。顔面シールドは、平坦な可撓性透明材料片であり、その下端に形成された開口部および関連するストラップにより顔面シールドをフィルタカートリッジ上に適合させることができる。
【０００８】
特許文献１５は、マスクの頬領域の受容部に取り付けられた中央呼気弁と２つの吸入フィルタとを有するハーフマスクのための顔面シールドについて記載している。顔面シールドは、着用者の眼領域の上で湾曲するように事前成形され、フィルタが取り付けられる前にフィルタレセプタクルの上に適合するように配置された２つの開口を有する。
【０００９】
特許文献１６は、弁なしのハーフマスク用のアイシールドについて記載している。アイシールドは、平坦な可撓性透明材料片であり、マスク上に、そのマスクの頬領域のアイレットに係合するスロットによって配置される。マスクのヘッドストラップは、アイシールドのスロットを貫通してもよい。
【００１０】
特許文献１７は、夫々のヘッドバンドを有する別個のゴーグルが備えられたハーフマスクについて記載している。ゴーグルは、適所に配置されると、マスクの作動要素と係合し、それにより空気をマスクからゴーグル内に向ける弁を開く。
【００１１】
特許文献１８は、調節可能なテンションストラップによって呼吸マスクもまた接続されるヘルメットに枢着されるアイピースについて記載している。
【００１２】
特許文献１９は、送気ハーフマスク用の、マスクを適所に保持したまま取り除くことができるアイシールドについて記載している。そのために、アイシールドは、マスクの滑り面に挿入される取付ブロックを有する。
【００１３】
特許文献２０は、永久的に取り付けられるアイシールドを備えた２パネル平坦折畳み型粒子マスクについて記載している。
【００１４】
特許文献２１は、呼吸ハーフマスクの中央に位置する呼気弁のキャップの上でクリップで固定される本体部を有するアイシールドについて記載している。記載されていないが、アイシールドは明らかに、着用されているマスクから取り除くことができる。
【００１５】
特許文献２２は、顔面マスク用のゴーグルについて記載しており、ゴーグルは、さねはぎ接続によってマスクに分離可能に取り付けられており、顔面マスクのストラップにより着用者の顔面に対して密閉して保持される。
【００１６】
特許文献２３は、バイザが、着用者の視線におけるバイザの位置を調整することができるように枢着された、呼吸マスクについて記載している。
【００１７】
医療用の粒子マスクのための顔面／アイシールドを提供することもまた知られている。かかる組合せの例は、特許文献２４、特許文献２５、特許文献２６、特許文献２７および特許文献２８に記載されている。各場合において、顔面／アイシールドは、呼吸マスクに永久的に接着される。
【特許文献１】米国特許第４，７０１，９６５号明細書
【特許文献２】米国特許第４，９４５，５７４号明細書
【特許文献３】米国特許第４，９６４，１７１号明細書
【特許文献４】米国特許第４，９６５，８８７号明細書
【特許文献５】米国特許第５，６６６，６７１号明細書
【特許文献６】米国特許第６，２６４，３９２号明細書
【特許文献７】米国特許第４，１０９，３２０号明細書
【特許文献８】米国特許第４，４７９，７３８号明細書
【特許文献９】米国特許第５，１８５，８８９号明細書
【特許文献１０】米国特許第５，９８７，６５１号明細書
【特許文献１１】独国特許第３６３０５１６号明細書
【特許文献１２】独国特許第９４０１０６６号明細書
【特許文献１３】特開平７−２１６６２２号公報
【特許文献１４】米国特許第２，４６２，００５号明細書
【特許文献１５】米国特許第２，７４０，４００号明細書
【特許文献１６】米国特許第２，７６２，３６８号明細書
【特許文献１７】米国特許第３，９７１，３６８号明細書
【特許文献１８】米国特許第４，１７２，４５５号明細書
【特許文献１９】米国特許第５，６３０，４１２号明細書
【特許文献２０】米国特許第５，６８２，８７９号明細書
【特許文献２１】国際公開第９６／３４６５８号パンフレット
【特許文献２２】国際公開第９７／０４８３７号パンフレット
【特許文献２３】欧州特許第１，０８６，７２０号明細書
【特許文献２４】米国特許第５，７０４，３４９号明細書
【特許文献２５】米国特許第５，４４６，９２５号明細書
【特許文献２６】米国特許第５，３０３，４２３号明細書
【特許文献２７】米国特許第５，０２０，５３３号明細書
【特許文献２８】米国特許第４，９４４，２９４号明細書
【発明の開示】
【発明が解決しようとする課題】
【００１８】
多くのアイシールドが開発されたが、呼吸マスクと共に使用するために適した改良されたアイウエアは依然として必要とされている。本発明は、簡単な構造を有し、比較的製造が容易であり、着用者の顔面におけるマスクの位置を妨げることなく、特に呼吸マスクに適合するように構成させることができるが必要な場合は着用者の視線から容易に取り除くことができる、アイウエア物品を提供するという問題に関連する。
【課題を解決するための手段】
【００１９】
本発明は、ヘッドハーネスを有する、呼吸マスクと共に使用するアイウエア物品である。概要として、本アイウエア物品は、
バイザ部を提供する平坦な透明ポリマ材料片と、
マスク係合位置決め手段と、
ハーネス係合位置決め手段と、
を備え、
マスク係合位置決め手段とハーネス係合位置決め手段とが、夫々、マスクとヘッドハーネスとに係合可能であることにより、平坦な透明ポリマ材料片が湾曲形状を呈するようになり、マスクが着用されている時、バイザ部が着用者の眼の正面に配置されてポリマ材料片が着用者の顔面の一方の側部から他方の側部まで延在し、
マスクが着用されている間にアイウエア物品をマスクおよび／またはヘッドハーネスから外すことができるようにしたことにより、着用者の顔面におけるマスクの位置を妨げることなくかつマスクによって提供される呼吸保護に影響を与えることなく本物品を着用者の視線から取り除くことができる。
【００２０】
「ヘッドハーネス」という用語は、呼吸マスクを着用者の頭部に締結する少なくとも１つのヘッドバンドを有し、ヘッドバンドの呼吸マスクへの取付点（たとえば、ヘッドバンドを通すバックルまたは案内面および恐らくはヘッドバンドが滑らないようにする任意の関連するロッキング機構）を有する構成を意味する。また、「ヘッドハーネス」という用語は、存在する場合、着用者の頭部の頂部に位置するいわゆる「クレードル」または同様の形態の支持体を含む。
【００２１】
本発明はまた、ヘッドハーネスを有する呼吸マスクと組み合わされるアイウエア物品を提供する。マスクは、中央部の両側に、ヘッドハーネスのヘッドバンドを受容するためにマスクの上部から下部まで延在する案内面を有する。
【００２２】
本アイウエア物品は、
バイザ部を提供する平坦な透明ポリマ材料片と、
アイウエア物品の下縁から延在する細長いタブを有し、タブの各々が、マスクが着用されている時にバイザ部を着用者の眼の正面に配置するようにマスクのヘッドバンド案内面の夫々に挿入可能である、位置決め手段と、
を備え、
マスクが着用されている間にタブを案内面から取り除くことができるようにしたことにより、着用者の顔面におけるマスクの位置を妨げることなくかつマスクによって提供される呼吸保護に影響を与えることなく、アイウエア物品を着用者の視線から取り除くことができる。
【００２３】
マスクの中央部がノーズブリッジを備える場合、本発明のこの態様のアイウエア物品は、マスクのノーズブリッジ上に適合するようにアイウエア物品の下縁に形成された成形部を備えてもよい。
【００２４】
本発明のこの態様では、マスクにアイウエア物品を配置することにより、平坦なポリマ材料片が湾曲形状を呈し、マスクが着用されている時、バイザ部が着用者の眼の正面に配置されて、ポリマ材料片が着用者の顔面の一方の側部から他方の側部まで延在する。
【００２５】
本発明のこの態様の実施形態では、着用者の顔面におけるマスクの位置を妨げることなくアイウエア物品をマスクから完全に取り除くことができる。
【００２６】
本発明は、さらに、ヘッドハーネスが設けられた呼吸マスクと組み合わされるアイウエア物品を提供し、
アイウエア物品は、
バイザ部を形成する平坦な透明ポリマ材料と、
アイウエア物品の両側から延在する細長いタブを有し、タブの各々が、マスクが着用されている時にバイザ部を着用者の眼の正面に配置するようにヘッドハーネスの夫々のガイドに挿入可能である、位置決め手段と、
を備え、
マスクが着用されている間にタブをガイド内に摺動させることができるようにしたことにより、着用者の顔面におけるマスクの位置を妨げることなくかつマスクによって提供される呼吸保護に影響を与えることなく、アイウエア物品を着用者の視線から出るように移動させることができる。
【００２７】
本発明のこの態様のアイウエア物品は、マスクの夫々の選択された部分の上で適合するようにアイウエア物品の下縁に形成された少なくとも１つの成形部を有してもよい。
【００２８】
本発明のこの態様では、マスクにアイウエア物品を配置することにより、平坦なポリマ材料片が湾曲形状を呈し、マスクが着用されている時、バイザ部が着用者の正面に配置されて、ポリマ材料片が着用者の顔面の一方の側部から他方の側部まで延在する。
【００２９】
本発明のこの態様の実施形態では、着用者の顔面におけるマスクの位置を妨げることなく、アイウエア物品を着用者の頭部の頂部に向かってかつ着用者の視線から出るように移動させることができる。細長いタブの各々を、２つの開口を有するように形成してもよく、それらは、夫々、アイウエア物品のバイザ部が着用者の眼の正面に配置される位置と、アイウエア物品が着用者の頭部に向かってかつ着用者の視線から出るように移動した位置と、を画定するように、夫々のガイドにおける止め具と係合可能である。
【００３０】
ここで、単に例として、本発明の実施形態を添付図面を参照して説明する。
【発明を実施するための最良の形態】
【００３１】
図１および図２は、呼吸ハーフマスクの一形態、すなわち着用者の鼻、口および顎の上に適合するように意図されたマスクを示す。マスク１は、軟質な弾性材料（たとえば、ゴム材料）から形成され、その縁の周囲に内側に曲げられたカフス（図示せず）を有するフェースピース２を備える。マスクが着用されている時、カフスは、着用者の皮膚に対する密閉を形成する。フェースピース２は、中央部３を有し、それは、呼気弁４が取り付けられている着用者の鼻のブリッジの上に延在するように意図されている。呼気弁４の両側において、フェースピースは、上にフィルタカートリッジ５が取り付けられる吸気弁（図示せず）を支持する。フェースピースの側部には、呼吸マスクに設けられるヘッドハーネスの一部を形成する上部ヘッドバンド７および下部ヘッドバンド８のための取付具６がある。取付具６は、任意の適当な形態をとってもよいが、図示するように、ヘッドバンドが通されるバックルと、ヘッドバンドが一旦調節されるとバックル内を滑らないように機能する、関連するロッキングリング６Ａ（図２にのみ示す）と、を備える。ヘッドハーネスは、任意の適当な形態であってもよく、たとえば、着用者の頭部の頂部に位置するように意図され上部ヘッドバンド７が取り付けられるクレードル９（図２にのみ、概略的にかつ一定の比率で縮小されずに示す）を有してもよい。
【００３２】
フェースピース２を、射出成形で形成してもよく、その場合、フェースピースが形成されている時に弁４、フィルタカートリッジ５およびヘッドバンド取付具６を適所で成形してもよい。
【００３３】
図１および図２に示すタイプの呼吸ハーフマスクは、米国特許第４，７９０，３０６号明細書に記載されている。マスクの変更形態では、フィルタカートリッジ５を差込み嵌合によってフェースピース２に取り付け、取り除き再び取り付けることができる。
【００３４】
使用時、ヘッドバンド７、８を、着用者の頭部に適合しマスク１を装着者の顔面に対して保持するように調整する。着用者が息を吸い込むと、空気がフェースピース２の頬部のフィルタカートリッジ５と吸気弁とを通してマスク１内に引き込まれる。着用者が息を吐き出すと、空気がマスクから中央部３の呼気弁４を通して排出される。
【００３５】
たとえば「４０００シリーズレスピレーター」（４０００  Ｓｅｒｉｅｓ  Ｒｅｓｐｉｒａｔｏｒｓ）および「６０００シリーズレスピレーター」（６０００  Ｓｅｒｉｅｓ  Ｒｅｓｐｉｒａｔｏｒｓ）という商品名で、米国ミネソタ州セントポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，Ｍｉｎｎｅｓｏｔａ，Ｕ．Ｓ．Ａ））から販売されているマスクを含む、多くのかかる形態の呼吸ハーフマスクが知られている。他の既知の形態の呼吸ハーフマスクには、米国特許第４，４１９，９９４号明細書および同４，６００，００２号明細書ならびに国際公開第９６／２８２１７号パンフレットに記載されているような２つ以上のパネルを備える平坦折畳み型呼吸マスクと、米国特許第４，８８３，５４７号明細書に記載されているタイプの事前成形されたマスクと、米国特許第５，３７４，４５８号明細書に記載されているタイプのカップ型成形マスクと、がある。呼吸マスクのためのさまざまな形態のヘッドハーネスとヘッドバンド取付具の代替形態ともまた既知である（たとえば、国際公開第０１／７２１５６号パンフレットおよび同第９９／０６１１６号パンフレットを参照）。
【００３６】
図３は、図１および図２に示すタイプの呼吸マスク１と使用することができる第１の形態のアイウエア物品１０を示す。アイウエア物品１０は、平坦な成形された透明ポリマ材料片、たとえばポリカーボネートまたはポリエステルを含み、図４において概略的に示すように、使用時、マスク１の上部から延在するように意図されている。アイウエア物品の寸法は、その中央（またはバイザ）部が着用者の眼領域の上を水平方向と垂直方向との両方において延在するような寸法である。アイウエア物品を、シート状の適当な材料から打ち抜くことによって形成してもよい。
【００３７】
図３に示すように、アイウエア物品１０の下縁は、マスク１の呼気弁４の周囲に適合する開口１２を含む下方延在中央部１１を有し、中央部１１の両側において、下縁が、１３に示すように内側に湾曲しており、それによりマスクの２つのフィルタカートリッジ５の頂部の周囲で適切に適合する。アイウエア物品は、側部１４がそれぞれの上部ヘッドバンド７を越えて延在するような左右の寸法を有し、ヘッドバンドの外縁の位置に対応する場所に折目１５が設けられている。アイウエア物品の開口１２がある下方延在部１１は、マスク係合位置決め手段を構成し、側部１４は、ハーネス係合位置決め手段を構成し、その目的については後述する。
【００３８】
アイウエア物品１０を使用するために、開口１２をマスク１の呼気弁４の上に配置し、アイウエア物品の下縁を、内側湾曲部１３がフィルタカートリッジ５の上方に位置するようにしてマスクの上縁に沿って配置する。アイウエア物品の側縁１４を、図４に示すようにマスクの上部ヘッドバンド７の後方に渡し、所望であればその後折目１５において前方に曲げ図５に示すようにヘッドバンドの正面で折り畳んでもよい。このように、アイウエア物品１０を、マスク係合位置決め手段１１、１２を呼気弁４においてマスクと係合させハーネス係合位置決め手段１４をヘッドバンド７と係合させることにより、湾曲形状で適所に保持する。この位置において、アイウエア物品は、着用者の視野を妨げることなく、流動性の低衝撃異物の直接のはね返しに対して着用者の眼を保護する。
【００３９】
着用者がいつでもアイウエア物品１０を自身の視線から取り除きたい（たとえば、塗料噴霧者の場合、進行中の作業の品質を検査するために）場合、それをマスク１およびヘッドバンド７から完全に外すことは比較的単純なことである。アイウエア物品を取り除くことができる前に外さなければならないファスナはなく、着用者の顔面におけるマスクの位置を妨げることなく、したがって呼吸保護のいかなる損失もなく、（しばしば片手のみで）操作を実行することができる。アイウエア物品がまだ良好な状態にある場合、それを再び適所に戻してもよく、そうでない場合、破棄して新しい物品と交換してもよい。両方の場合で、アイウエア物品を、着用されているマスクに着用者の顔面におけるマスクの位置を妨げることなく適合させることができる。
【００４０】
図３に示すアイウエア物品１０のさらなる利点は、使用時、マスク１の呼気弁４からの呼気の正常な流れを妨げない、ということである。したがって、暖かい湿った呼気がアイウエア物品にわたって循環しそれを曇らせる危険性がほとんどない。
【００４１】
所望であれば、アイウエア物品１０は、アイウエア物品が着用者の額に接触する場合に快適性を向上させるために、内面において上縁に隣接して配置された発泡体または他の適当な材料のストリップ１６を有してもよい。発泡体ストリップの長さを、その接触のあり得る程度によって変化させてもよい。
【００４２】
側縁１４を前方にかつヘッドバンド７の正面で曲げる必要のない場合、図３のアイウエア物品の折目１５を省略してもよい。その場合、側縁１４を、ヘッドバンドの内面に係合させることにより適所に保持する。
【００４３】
図６〜図８に、上部ヘッドバンド７と係合する代替位置決め手段を提供する、アイウエア物品１０の側縁１４に対するいくつかの可能な変更態様を示す。
【００４４】
図６に示す変更態様は、図３の各折目１５をアイウエア物品の各側部１４に矩形タブ２１を形成するスロットに置き換えることを含む。そして、マスク１の各側部のヘッドバンド７を、それぞれのタブ２１の後方に押し込み、図示するようにタブとアイウエア物品の側部１４との間に保持することができる。
【００４５】
あるいは、図７に示すように、アイウエア物品１０の各側部１４に開口２３を設けてもよく、その中に、マスクの上部ヘッドバンド７を、その開口からアイウエア物品の縁に至るスロット２４により案内することができる。スロット２４は直線状でなくてもよく、任意の適当な形状の複雑な経路に従い、アイウエア物品がマスクのヘッドバンド７から不注意に分離する危険性を低減するように任意の適当な方向に延在してもよい。
【００４６】
図８に示すさらに別の変更態様では、２つの平行なスロット２５を、アイウエア物品１０の側縁に切り込み、矩形タブ２６を形成する。タブ２６にはさらに、その長さに沿った約中間の地点に横方向の折目２７を設ける。この場合、ヘッドバンド７は、アイウエア物品１０の一方の面（図８に示すように後面）にあり、タブ２６の他方の面の上を横切り、その後タブ２６を折目２７においてヘッドバンドの周囲で曲げる。
【００４７】
図９および図１０は、アイウエア物品１０の側部１４に対する代替形態を示し、それらの両方において、側部は、上部ヘッドバンド７の代りに下部ヘッドバンド８またはマスクヘッドハーネスの関連するバックル（図１および図２を参照）に係合するように、下方向に拡張されている。図９には、下部ヘッドバンド８または関連するバックルに係合するための鍵穴型の切欠部２２Ａを有する拡張側部１４の下端を示し、図１０には、下部ヘッドバンドまたは関連するバックルの周囲に巻き付けることができるようにする折目２２Ｂを有する拡張側部１４の下端を示す。
【００４８】
図１１は、アイウエア物品１０のさらに別の変更態様を示し、各側部１４を、マスクヘッドハーネスの上部ヘッドバンド７と下部ヘッドバンド８との両方の後方に押し込み、かつそれらにより適所に保持することができるように、下方向に拡張させる。
【００４９】
図６〜図１１に示す変更態様すべてにより、アイウエア物品１０が図３〜図５を参照して上述したものと同様の方法で機能することができる、ということが理解されよう。アイウエア物品の側部１４をマスクのヘッドハーネスに係合させるための他の代替位置決め手段が利用可能であり、それには、たとえば、プレススタッドまたは別個のプッシュオンクリップ等の何らかの形態の剥離可能なメカニカルファスナの使用がある。メカニカルファスナを、アイウエア物品の側部１４をヘッドバンド７またはヘッドバンド取付点６（ロッキングリング６Ａを含む）にもしくはヘッドハーネスの他の任意の適当な部分に係合させるために使用することができる。
【００５０】
図１２は、図３のアイウエア物品１０を呼吸マスク１から外すことなくヘッドバンド７から外し着用者の視線から取り除くことができるようにするさらなる変更態様を示す。この変更態様は、開口１２の上に、アイウエア物品１０の下方延在中央部分１１の頂部を横切ってヒンジ線２８を形成することを含む。このヒンジ線２８により、アイウエア物品を、単に前方に枢動させることにより着用者の視線から取り除くことができる（側縁１４はマスクヘッドバンド７から事前に外されている）。アイウエア物品１０は、マスクの呼気弁４と係合したままであり、それを、必要な場合は直立位置に戻しマスクヘッドバンド７と再度係合させることができる。当然ながら、アイウエア物品を、交換する必要がある場合、上述したようにマスクから完全に取り除くことも可能である。
【００５１】
図１２は、図３に示すタイプのアイウエア物品に設けられたヒンジ線２８を示すが、それを図６〜図１１を参照して上述した変更されたアイウエア物品に同様に設けてもよい。
【００５２】
図１２のアイウエア物品の側縁１４を、図１３に示すように、マスクヘッドバンド７に係合するための折目３０を有する細長いタブ２９を含むように変更することにより、アイウエア物品の主部を、使用時にヒンジ線２８を中心にわずかに前方に傾斜するようにしてもよい。結果として、アイウエア物品は、着用者の顔面からわずかに遠くに離れて位置することになり、眼鏡の使用が可能になる。
【００５３】
同様に図１および図２の呼吸マスク１での使用に適した別のアイウエア物品３１を図１４に示す。このアイウエア物品は、図３のものと形状が類似しているが、２つの剥離可能なメカニカルファスナ、たとえばプレススタッドによりマスクのヘッドハーネスに取り付けられるように意図されており、メカニカルファスナの各々の一方の部品（３３）は、アイウエア物品のそれぞれの側部に取り付けられる。メカニカルファスナの他方の部品（図示せず）は、ヘッドハーネスの適当な取付点、たとえばヘッドバンド７または取付点６（たとえば、バックルロッキングリング６Ａ）に取り付けられる。アイウエア物品の下方延在中央部１１もまた、中央部が有効に２つの二叉フォークの形態を有するようにその下端で開口するという点で変更する。この形態では、アイウエア物品３１の中央部１１を、呼気弁４の上に配置する必要はないが、あるいは、上方から弁の上に摺動させてもよい。図３〜図１３のアイウエア物品のいずれに対して同様の変更を行ってもよく、あるいは、アイウエア物品３１の中央部１１を図３のものと同様に成形してもよい。
【００５４】
図３〜図１４を参照して上述したアイウエア物品の各々は、平坦なシート材料片から形成されるが、マスク１と係合する結果マスク１の適所にある場合、着用者の眼領域を横切って湾曲形態を採用する、ということが理解されよう。所望であれば、シート材料の湾曲した上縁をアイウエア物品の頂部を横切って線３４(図３および図１４を参照）を中心に前方かつ下方に折り畳むことにより、アイウエア物品を、マスク上に配置する前に強制的に湾曲形態を有するようにしてもよい。その場合、発泡体ストリップ１６を省略するかまたは再配置してもよい。望ましい場合に湾曲を容易にするために、シート材料に図３および図１４において３５で示すもの等の垂直ヒンジ線を形成してもよい。あるいは、平坦なポリマ材料片に、アイウエア物品に所望の程度の湾曲を提供するように曲げることができる材料（たとえば、押出し成形されたアルミニウム）から形成されたフレームを設けてもよく、フレームは、アイウエア物品の実質的に全周縁に沿って延在してもよいが、図１２を参照して上述したようにアイウエア物品を前方に折り畳む必要がある場合は、上縁のみに沿って延在すべきである。
【００５５】
アイウエア物品が呼吸マスクの呼気弁４とより適切に係合するために、アイウエア物品１０、３１の開口１２に発泡体またはゴム製リムを設けてもよい。場合によっては、開口１２のリムを、内側に折り返すことが望ましい場合がある（すなわち、それにより、呼気弁に配置された場合に、マスクのフェースピース２に向かって延在することになる）。そして、リムにより、アイウエア物品が呼気弁に過度に押し付けられることがなくなり、リムは、アイウエア物品と着用者の顔面との間に確実に一定の最小間隔が存在するようにする役割を果たす。最小間隔は、たとえば、アイウエア物品の後方で眼鏡を装着することができるために十分な間隔であってもよい。
【００５６】
さらなる代替態様として、アイウエア物品１０の下方延在部１１のみを、呼吸マスクの呼気弁４の上に引き伸ばすことができる材料から形成してもよく、それによりマスクに対しより確実に適合させることができる。同時に、図１２に示す方法と同様に、下方延在部１１とマスクの残り部分との間の接合によってヒンジを形成し、それを中心にアイウエア物品を前方に折り畳むことができるようにする。また、下方延在部１１とアイウエア物品の主部の下部とを、平坦な透明ポリマ材料片３８（アイウエア物品のバイザ部を提供する）が取り付けられる別個の成形部品３７（図１５参照）として形成することも可能である。成形部品３７にヒンジ３９を形成することにより、図１２を参照して説明したように、眼保護具の部分３８を前方に折り畳むことができる。アイウエア物品の側部１４を、図３〜図１４を参照して上述した方法のうちの任意の方法で、呼吸マスクのヘッドハーネスと係合させることができる。
【００５７】
上述したアイウエア物品１０の各々に、呼吸マスクからアイウエア物品１０を取り除くのを容易にするために、下方延在部１１（図３参照）の下端にタブ１１Ａを設けてもよい。タブ１１Ａは、図３に示すようにアイウエア物品の一体部分であってもよいが、それを別個の部材としてより柔軟な材料から形成しその後アイウエア物品に固定してもよい。
【００５８】
図３のアイウエア物品１０の開口１２を、呼吸マスク１の呼気弁４に密接嵌合しているものとして上述した。代替態様として、開口１２は、呼気弁より大きくてもよく（それにより、開口の寸法を精密に決める必要がなくなる）、その際、アイウエア物品に、呼気弁構造の適所に保持するための何らかの機構を設ける。たとえば、下方延在部１１に弾性コードを、開口１２の中央を横切って一方の側部から他方の側部に水平に延在するように固定してもよく、使用時、その弾性コードを、呼気弁４の底部の周囲で引き伸ばしてもよい。あるいは、アイウエア物品１０の下方延在部１１を、開口１２が呼気弁４の上を滑ることができるように開き、その後、開口１２の上端および下端が呼気弁構造の上端および下端と確実に係合するようにその元の形態に戻る、水平延在曲面を有するように形成してもよい。
【００５９】
上述したアイウエア物品１０、３１のいずれかを呼気弁の代替形態を有する呼吸マスクと共に使用するのを可能にするために、別個のアダプタを呼気弁に取り付けることにより、弁構造に適当な形状を提供してもよい。アダプタは、たとえば、呼気弁への押込嵌合であってもよい。アダプタの一形態を、図１６および図１７に示し、別の形態を図１８に示す。
【００６０】
図１６および図１７に示すアダプタ４０は、図１４に示すタイプの叉状拡張部１１を有するアイウエア物品３１と使用することが意図されている。アダプタ４０は、アダプタが呼吸マスクの呼気弁に押込嵌合されるのを可能にする中央開口４１を有するポリマ材料のブロックを含む。アダプタの側部に溝の対４２、４３が形成されており、アイウエア物品３１の叉状拡張部１１が摺動してその中に入ることにより、アイウエア物品が呼吸マスクの着用者の顔面に対し事前に選択された角度で配置される。アダプタ４０には、アイウエア物品に対し後方傾斜部を提供する第１溝対４２と、垂直位置を提供する第２溝対４３と、があるが、溝の数および位置は変更してもよい。代替構造では、アダプタのヒンジ式上部拡張部に溝４２、４３を形成し、図１５を参照して説明したように眼保護具を前方に折り畳むことができるようにする。図１６および図１７に示すタイプのアダプタを、図３に示すタイプの開口付き拡張部１１を有するアイウエア物品１０と使用することも可能であるが、その場合、アダプタブロックを、アイウエア物品の開口１２のものと対応する外部形状を有するように形成する、ということが理解されよう。
【００６１】
図１８に示すアダプタ４５では、アダプタ４０の傾斜溝４２を、傾斜案内面４６およびアダプタブロックの側部に形成された関連する止め具４７と置き換える。このアダプタもまた、図１４に示すタイプの叉状拡張部１１を有するアイウエア物品３１と使用するように意図されているが、アイウエア物品に対し呼吸マスクの着用者の顔面に対する代替位置を提供する。図１８は、呼吸マスク１の呼気弁４に配置されたアダプタ４５を示し、アイウエア物品３１の叉状拡張部１１は、それが着用者の顔面（破線４８で示す）に非常に近接する位置まで摺動している。しかしながら、代替案内面４６および／または代替止め具４７を選択することにより、アイウエア物品３１を、たとえば眼鏡の着用を可能にするために、着用者の顔面４８からさらに離して配置することができる。
【００６２】
図１６および図１７に示すタイプまたは図１８に示すタイプのアダプタと使用する場合、アイウエア物品の側部は、任意の適当な方法で呼吸マスクのヘッドハーネスと離脱可能に係合する。
【００６３】
図１８のアダプタを、枢支点を提供するように変更してもよく、それは呼気弁構造の各側に１つあり、そこに、アイウエア物品３１の叉状拡張部１１の下端を離脱可能に取り付けることができる。そのタイプの配置により、側部１４が呼吸マスクのヘッドハーネスから外れた後、それが呼吸マスクの正面で下方に垂れ下がるまで、アイウエア物品が前方に枢動することが可能になる。アダプタの両側に止め具を設けることにより、アイウエア物品の端部位置を画定し、必要に応じてそれが確実にそれらの位置の一方または他方で保持されるようにしてもよい。
【００６４】
図１９は、フィルタカートリッジ５が差込み嵌合によってマスクに離脱可能に取り付けられていることを除いて図１および図２に示すマスク１と類似している呼吸マスク４９を示す。差込み嵌合は、図１９には図示されていないが、図２０では５Ａによって示されている。図２０は、フィルタカートリッジ５が一時的に取り除かれ代替形態のアイウエア物品５０と適合しているマスク４９を示す。アイウエア物品５０は、後述するように差込み嵌合部５Ａにおいてマスクと係合する支持体５１の形態のマスク係合位置決め手段を有する。アイウエア物品５０のバイザ部５２を、平坦な透明ポリマ材料片によって提供し、その上縁を（図２１を参照して後により詳細に説明するように）５１Ａにおいて支持体５１の上端に枢支連結する。支持体５１の下端は、フィルタカートリッジ５を取り付ける前に呼吸マスク４９の差込み嵌合部５Ａの上に押し出すことができる開口付きディスク５３を支持し、後にフィルタカートリッジ５により適所に保持される。呼吸マスクが使用されている時、図４のアイウエア物品１０に対して上述したように、アイウエア物品の部分５２を支持体５１の正面に配置し、支持体５１により着用者の眼の正面に懸装する。この時、部分５２は、側部１４（ハーネス係合位置決め手段として機能する）がマスクの上部ヘッドバンド（図示せず）の後方に配置されると、着用者の顔面を横切って湾曲形状を呈する。必要な場合、側部１４をヘッドバンドから外し、部分５２を上方に接続５１Ａを中心に着用者の頭部の頂部上に枢動させることにより、アイウエア物品の部分５２を着用者の視線から取り除くことができる。
【００６５】
図２１は、図２０のバイザ部５２と支持体５１のうちの１つとの間の接続５１Ａの部品を拡大尺でより詳細に示す。この接続により、有利には、バイザ部５２の呼吸マスク４９に対する垂直位置を調整することも可能である。支持体５１の上端は、ホイール８２が回転可能に取り付けられるスリーブ８１によって包囲され係合されるラック８０を支持する。拡大ヘッドを有するポスト８３は、ホイール８２から放射状に延在し、使用時、バイザ部５２の上縁に隣接するスロット８４（図２０参照）と係合する。ホイール８２により、バイザ５２が上方に枢動することができ、それによりバイザ部５２が着用者の視線から取り除かれ、ラック機構８０、８１により支持体５１上のホイールの垂直位置を調整することができる。
【００６６】
図２０のアイウエア物品５０が呼気弁構造ではなく呼吸用保護具のフィルタ嵌合部と係合するということが理解されよう。アイウエア物品において支持体５１を使用してアイウエア物品をフィルタ嵌合部から支持することができるようにすることは本質的ではないが、上述したような支持体により、バイザ部５２の呼吸マスクに対する垂直位置を調整することができる。呼吸マスクの形態に応じて、アイウエア物品に、あるいは、支持体５１の代りにマスクのフィルタ嵌合部と係合することができる２つの下方延在叉状部（図１４のアイウエア物品の部分１１に類似する）を設けてもよい。
【００６７】
図２２は、図１および図２または図１９に示すタイプの呼吸マスク１およびノーズブリッジ部３を有する他の呼吸ハーフマスクと使用するために適した代替アイウエア物品５５を示す。この場合、アイウエア物品は、着用者の視線から一時的に取り除かれる時に呼吸用保護具のヘッドバンド７と係合し続けるように意図される。
【００６８】
アイウエア物品５５は、平坦シート状の任意の適当な透明ポリマ材料、たとえばポリカーボネートまたはポリエステルを含む。アイウエア物品は、着用者の眼領域の一方の側部から他方の側部まで呼吸マスクの頂部にわたって延在するために必要な大きさにされており、マスクの中央部３のノーズブリッジ領域に位置するノーズピース５６を有する。使用時、呼吸用保護具の上部ヘッドバンド７を、アイウエア物品の側縁のスロット５７に通す。これにより、ノーズピース５６およびスロット５７は、夫々、アイウエア物品をマスク着用者の眼の正面に配置するためのマスク係合位置決め手段およびハーネス係合位置決め手段として機能する。
【００６９】
着用者がいつでもアイウエア物品５５を自身の視線から取り除きたい場合、それをヘッドバンド７の上方に摺動させて着用者の頭部の頂部に載置することができ、そこで、さらに必要となるまで保持することができ、必要となると、その元の位置に戻すことができる。マスクによって提供される呼吸保護は、このアイウエア物品５５の位置の変化によって影響されない。
【００７０】
ノーズピース５６を省略してもよく、その場合、アイウエア物品５０の下縁５８は、図２３に示すように中央において内側に湾曲しており、それにより、呼吸マスク１のノーズブリッジ上に位置することになる。ノーズピース５６が存在する場合、それをアイウエア物品の残り部分と同じ材料から形成する必要はなく、たとえば、呼吸マスクのノーズブロッジとのより確実な係合を形成する材料から形成してもよい。
【００７１】
場合によっては、さらに、アイウエア物品５５を、傷がつくかまたは破損した場合に破棄することができるように、マスク１から完全に取り除くことができることが望ましい場合がある。それを達成することができる１つの方法は、アイウエア物品をヘッドバンド７から外すことができるようにスロット５７からアイウエア物品５５の縁まで延在するスリット（図示せず）を提供することによる。あるいは、アイウエア物品５５に、ヘッドバンド７と接続する際に使用するために、図２４または図２５に示すタイプのスライディングコネクタを設けてもよい。
【００７２】
図２４に示すスライドコネクタ６０は、略矩形形状のクリップであり、使用時、取付点６とクレードル９（図２を参照）との間でヘッドバンドに沿って後方および前方に移動することができるように、呼吸マスクの上部ヘッドバンド７のうちの１つの周囲に取り付けられる。そうするために、クリップは、ヘッドバンド７が配置される開放通路６１を有し、図２３に示すように通路へのアクセスを提供するように開放することができる、クリップの残り部分にヒンジ式に取り付けられたカバー６２を有する。ヘッドバンドを通路に配置すると、カバー６２をクリップファスナ６３によって閉鎖し保持する。クリップ６０の後面は、アイウエア物品５５の隣接する側縁においてスロット５７に挿入することができ、それによりアイウエア物品５５をヘッドバンドに取り付けることができる、スタッド６４を支持する。スタッド６４の頭部の両側を平らにすることにより、スタッド６４をスロット内に挿入することができるようにし、その後クリップを回転させてヘッドバンド７の標準位置と整列させる。アイウエア物品５５の他方の側部を呼吸マスクの他方の側部の上部ヘッドバンド７に取り付けるために、第２のクリップを使用する。この時、アイウエア物品５５をヘッドバンド７上で上下に摺動させ、必要に応じてコネクタ６０に対して枢動させることによりそれが着用者の頭部の頂部上に押し出されることができるようしてもよいが、クリップ６０のスタッド６４をアイウエア物品から外すことにより、またはクリップ６０を開きそれらをヘッドバンドから取り除くことにより、完全に取り除いてもよい。
【００７３】
図２５に示すスライドコネクタ６５は、クリップ６０に対し同様に機能するが、スロットスリーブの形態である。この場合、ヘッドバンドの通路６１へのアクセスは、スリーブの一方の面における開口スロット６６を介する。スリーブの反対側の面（図２４には図示せず）は、スリーブをアイウエア物品に取り付けるために使用されるスタッド６４を支持する。
【００７４】
クリップ６０とスリーブ６５とは、ともに、ヘッドバンドに対する張力を増大させることなくかつ呼吸マスクの快適性に影響を与えることなく、着用者の頭部の頂部に対しヘッドバンド７上を上方に摺動させることができるようにする。上昇位置にある時のアイウエア物品の望ましくない移動の危険性を低減するために、通路６１の各々は、クリップ６０またはスリーブ６５をヘッドバンド７の任意の選択された位置で保持しながら同時にまだヘッドバンド７が後方および前方に摺動するのを可能にするように機能する、波状部（図２４において６７で示す）を有してもよい。
【００７５】
図２６は、図２３のアイウエア物品に類似するアイウエア物品８０を示すが、各側縁において夫々の開口５７の下方にスロット８１が設けられている。スロット８１により、図２７に示す変更されたスライディングコネクタ８３を使用して、アイウエア物品８０を呼吸マスクの上部ヘッドバンド７に接続することができる。コネクタ８３は、上述した図２５に示すものと同様であるが、その後面に、図２４におけるような単一スタッドではなく２つのスタッド８５、８７が設けられている。２つのかかるコネクタを、アイウエア物品８０の各側部に１つ使用し、各場合において、コネクタスタッド８５のうちの１つをアイウエア物品のスロット５７に配置し、呼吸用保護具ヘッドバンド７を、図２５を参照して上述したようにコネクタ通路６１に配置する。そして、コネクタ８３は、上述したように、アイウエア物品が着用者の頭部の頂部へヘッドバンド７上を上方に摺動することができるように機能する。アイウエア物品を使用する（すなわち、それが呼吸マスクのノーズブリッジに載置される下降位置にある）場合、各コネクタ８３の第２のスタッド８７を、アイウエア物品の夫々のスロット８１に配置し、それは、アイウエア物品のコネクタ８３に対する枢動を制限し、それにより、この位置にある時のアイウエア物品に対するさらなる安定性が提供される。
【００７６】
ヘッドバンド７においてスライドコネクタ６０、６５を使用することに対する代替態様として、図２２および図２３のアイウエア物品５５を、クリップを介してヘッドハーネスのクレードル９に枢支結合してもよい。図２８は、たとえば、クレードル９の一方の側部とそのヘッドバンド７への取付部とを示し、また、クレードルからヘッドバンドの上部の上に重なるように吊り下げられた細長いクリップ７０（図２９も参照）も示す。ヘッドバンドの上に重なるクリップ７０の部分にラック７１が形成されており、これは、アイウエア物品５５の夫々のスロット５７に挿入することができるスタッド７３を有するスライド７２を支持する。この構成により、アイウエア物品５５が、スタッド７３上でクレードル９に対して枢動することができ、スライド７２をラック７１上で上下に押すことによりクレードルに対して垂直に移動することができる。アイウエア物品５５を呼吸マスクから完全に取り除くことが必要である場合、それを、アイウエア物品をスタッド７３から外すことによるかまたはクリップ７０をクレードル９から外すことにより達成することができる。
【００７７】
図３０は、図３のアイウエア物品１０の特徴を図２２のアイウエア物品５５の特徴と結合するアイウエア物品９０のさらなる形態を示す。特に、アイウエア物品９０は、呼吸マスク１の呼気弁４上に適合する開口１２を有する下方延在中央部１１とともに、アイウエア物品がマスクヘッドハーネス７に対して上下に摺動するのを可能にする、側縁におけるスロット５７（恐らくは、図１９および図２０を参照して上述したようなスライディングコネクタ６０、６５または図２１または図２２を参照して説明したようなクリップと組み合わせて）を有する。
【００７８】
図３１は、図３０のものと同様に、恐らくは図２４および図２５に示すようなスライディングコネクタかまたは図２８および図２９に示すようなクリップとともに、アイウエア物品が呼吸マスクのヘッドハーネスに対して上下に摺動するのを可能にする、側縁の開口５７を有するアイウエア物品９１を示す。アイウエア物品９１は、下縁がマスクの呼気弁４の周囲に係合するような形状ではないが代りに呼気弁（図１および図２参照）の両側においてフィルタカートリッジ５の周囲に係合するような形状であるという点で、図３０のものと異なる。そのために、アイウエア物品９１の下縁は、アイウエア物品９１が下降位置にある時に、フィルタカートリッジ５の上に適合し部分的にその下部で湾曲するが、アイウエア物品がフィルタカートリッジから外れ呼吸用保護具ヘッドバンド７上を上方に摺動することによりそれを着用者の視線から取り除くことができるようにする、マスク係合位置決め手段を形成する２つの切欠部９２を有する。当然ながら、切欠部９２の形状を、アイウエア物品と使用するマスクにおけるフィルタカートリッジの形状に対応するように必要に応じて変更することができる。
【００７９】
図３２は、着用者の視線から取り除かれる場合にマスクヘッドバンド７に係合したままである、図１および図２の呼吸マスク１と使用するために適した、さらに別のアイウエア物品９３を示す。アイウエア物品は、各側縁から延在し使用時に図３３に示すようにマスクの上部ヘッドバンド７上で夫々のガイド９７に通される細長いタブ９５の形態のハーネス係合位置決め手段を有する。タブ９５の端部を、９９で示すように裏返すことにより、後述するようにアイウエア物品９３の移動中にタブがガイド９７から離れないようにするのを助けるようにしてもよい。同様に図３３に示すように、アイウエア物品の下縁の形状を、着用者の眼の正面に配置した場合に、呼気弁構造４の頂部に位置し２つのフィルタカートリッジ５の頂部の周囲に適切に適合するような形状にする。アイウエア物品９３を着用者の視線から取り除くためには、それを単に着用者の頭部の頂部に向かって上方に押す。この移動中、細長いタブ９５は、ガイド９７を通して上方に摺動する。その後、アイウエア物品９３を、図３３に示す下降位置まで再び引きおろすことができ、それにより細長いタブ９５がガイド９７を通して再び下方に摺動する。アイウエア物品の移動に対応するために必要な場合、ガイド９７は、マスクヘッドバンド７に沿って後方および前方に摺動することができる。アイウエア物品９３の下縁から前方に突出する中央タブ１０１は、アイウエア物品を操作するのを容易にし、下降位置において、図３３に示すように呼気弁構造の頂部に位置する。代替態様として、図３４に示すように、中央タブ１０１を、マスク１のフィルタカートリッジ５の頂部の周囲に適合する領域に隣接して、アイウエア物品の下縁における２つのタブまたはフィンガ穴／グリップ１０１Ａと置き換えるかまたはそれらによって補ってもよい。
【００８０】
アイウエア物品９２は、着用者の顔面に隣接する側部においてその周縁の全体の周囲に延在する発泡体ストリップ１００を支持する。アイウエア物品が下降位置にある場合、発泡体ストリップ１００は、本来アイウエア物品の周縁において顔面とアイウエア物品との間の間隙を通して着用者の顔面に達する可能性のあるはね返しに対する保護を提供する。必要な場合は、ストリップ１００を、着用者の顔面に対するシールを形成するように構成してもよい。
【００８１】
図３５および図３６は、図３３に示すマスクの上部ヘッドバンド７のガイド９７の好ましい形態をより詳細に示す。図３５および図３６のガイド９７を、互いに閉鎖した場合（図３５に示すように）、それらの間に、ガイドを通して一方の側部から他方の側部まで延在する溝１０３を画定する２つの部分１０２Ａ、１０２Ｂで形成し、使用時、アイウエア物品のタブ９５の１つをその溝に通す。ガイド９７の部分１０２Ａの外側は、図示するように、マスクヘッドバンド７を通すバックルを形成する。
【００８２】
ガイド９７の部分１０２Ａ、１０２Ｂを、ヒンジにより一方の側部に沿って互いに接合し、閉鎖位置（図３５）において、クリップ１０５により他方の側部において合わせて保持する。部分１０２Ａ、１０２Ｂは、代替態様として、両側部に沿ってクリップにより合わせて保持される別個の部品であってもよい。
【００８３】
アイウエア物品のタブ９５のための溝１０３を、部分１０２Ａ、１０２Ｂの対向する内面１０６Ａ、１０６Ｂによりガイド９７内に画定する（図３６参照）。部分１０２ＢにおけるＵ型スロット１０８により溝１０３の面１０６Ｂに矩形トング１０７を形成し、トング１０７の自由端の内面に、半球状ボタン１０７’を設ける。ボタン１０７’を、アイウエア物品９３が上昇位置にあるかまたは下降位置にあるかにより、アイウエア物品タブ９５の２つの穴１０９の一方に係合するように配置し、それにより、ボタン１０７’は、その位置でアイウエア物品を保持するように作用する。ボタン１０７’が配置されるトング１０７の可撓性により、アイウエア物品タブ９５が溝１０３を通して移動している時に、ボタンが穴１０９から外れるように移動することができる。
【００８４】
本発明によるアイウエア物品は、図２および図１９に示すように中央に配置された呼気弁の両側に２つのフィルタカートリッジが配置された呼吸ハーフマスクとの使用に限定されない。その形状ならびに呼吸マスクおよびヘッドハーネスとの係合の方法を適当に変更することにより、本発明によるアイウエア物品を、成形マスクおよび平坦折畳み型マスクを含む他の形態のハーフマスクおよび１／４マスク（すなわち、着用者の鼻および口を覆うが顎は覆わないマスク）と使用することができる。本発明によるアイウエア物品はまた、図２および図１９に示すものと異なる構造のヘッドハーネスを有する呼吸マスクと共に使用することも可能である。
【００８５】
好ましくは、アイウエア物品は、呼吸マスクを決して変更する必要があってはならないが、図１６および図１８を参照して説明したように、場合によっては、マスクの弁構造の外部形状を変更するために何らかの形態のアダプタが必要である場合もある。
【００８６】
図３７および図３８は、例として、異なる形態のヘッドハーネスを採用する呼吸マスク１１０を用いる本発明によるアイウエア物品の使用を示す。図３７に示すマスク１１０は、着用者のノーズブリッジ上に延在するように意図され呼気弁（図示せず）を有する中央部３の両側に配置された２つのフィルタカートリッジ（省略）のための嵌合部５Ａを有するという点で、図２および図１９のマスク１、４９に類似する。しかしながら、マスク１１０では、上部ヘッドバンド７および下部ヘッドバンド８とマスク１、４９の夫々の取付具６とを、２つのより長いヘッドバンド１１１（マスクの各側に１つ）と置き換える。これらのより長いヘッドバンド１１１は、ヘッドハーネスのヘッドクレードル（図示せず）からマスクの夫々の案内面１１３の上端１１２まで延在し、そこで、フィルタ嵌合部５Ａの正面の周囲で支持されることにより案内面の下端１１４で離れて着用者の頭部の後部に戻る。
【００８７】
図３８に、呼吸マスク１１０との使用に適したアイウエア物品１１５を示す。それは、先に説明したアイウエア物品と同様に、水平方向と垂直方向との両方において着用者の眼領域を覆うようにマスク１１０の上部から延在するように意図された平坦なポリマ材料の成形片を備える。アイウエア物品の下縁の中央部１１６を、図２３のアイウエア物品５５の中央部と同様にアイウエア物品に対しマスク係合位置決め手段を形成するマスク１１０の中央のノーズブリッジ部３に位置するような形状にする。中央部１１６の各側部には、上端１１２から夫々のヘッドバンド案内面１１３内に挿入しそれによりマスク１１０のヘッドハーネスに係合することが可能な下方に延在する細長いタブ１１７がある。アイウエア物品１１５は、マスクの適所にある時、着用者の眼領域を横切って湾曲形態を呈し、その周縁の全体または一部の周囲に発泡体または他の適当な材料のストリップを設けることにより、着用者の顔面に対するシールを形成しかつ／または周縁のはね返り保護を提供することができる。タブ１１７をヘッドバンドガイド１１３から引き出すことにより、マスク１１０によって提供される呼吸保護に影響を与えることなく、アイウエア物品１１５をいつでも着用者の視線から取り除くことができる。
【００８８】
図３９〜図４１は、例として、平坦折畳み型マスクにおける本発明によるアイウエア物品の使用を示す。図３９において折り畳まれているように示し図４０において開いているように示すマスク１２０は、中央パネル１２１と、夫々の溶接継目１２２Ａ、１２３Ａにより中央パネルに接合される上部パネル１２２および下部パネル１２３と、を備える。上部ヘッドバンド１２４および下部ヘッドバンド１２５を、中央パネル１２１の両側において外側に延在するタブ部１２１’に固定する。マスクが折り畳まれている時（図３９）、上部パネル１２２および下部パネル１２３は、中央パネル１２２の後方に折り曲がるが、着用者の鼻、口および頬を覆うカップ型フェースピース（図４０）を形成するために開く。パネル１２１、１２２および１２３を、着用者が吸入する時に空気が引き込まれる任意の適当な空気透過性フィルタ材料から形成する。放出される空気もまた、フィルタ材料を通してマスクから出てもよく、または中央パネル１２１に設けられた任意の呼気弁（図示せず）を通して出てもよい。
【００８９】
図４１は、本発明によるアイウエア物品１２６が設けられる、着用者の顔面１２９において開いた状態にあるマスク１２０の側面図を示す。アイウエア物品１２６は、平坦な、比較的薄くかつ可撓性のポリマ材料の成形片を含み、その下縁の中央部を、中央パネル１２１の上縁の後方において溶接継目１２２Ａにより形成された窪みに位置するような形状にする。アイウエア物品１２６は、その側部１２７が上部ヘッドバンド１２４を越えて延在するような左右の寸法を有し、それにより、側部は任意の適当な方法で上部ヘッドバンド１２４と係合することができる。図４１は、上部ヘッドバンド１２４が後方に押し込まれた矩形タブ１２８を有するように形成されたアイウエア物品１２６の側部１２７を示すが、図５〜図８を参照して上述した構成のいずれを有してもよいということが理解されよう。マスク１２０によって提供される呼吸保護に影響を与えることなく、アイウエア物品１２６を、着用者の視線から取り除くためにマスク１２０からいつでも完全に取り外すことができる。
【００９０】
所望であれば、アイウエア物品１２６に、アイウエア物品の下縁をマスク１２０の各側部にあるタブ１２１’に固定するために使用することができる、任意の適当な構造からなるクリップ（図示せず）を設けてもよい。
【００９１】
使用する呼吸マスクの形態に応じて、本発明によるアイウエア物品のその下縁に沿って、マスクの外面に接して位置しそれに対して密閉する適当なより柔軟な材料のスカートを設けてもよい。
【００９２】
図面を参照して上述したアイウエア物品は、比較的容易に製造することができ、材料を適当に選択することにより、傷が付くかまたは破損した場合に完全に処分することができる。アイウエア物品のバイザ部に使用する材料を、使用することが意図される環境を考慮して選択する。たとえば、環境によっては、色付きの透明材料または何らかの波長の光をフィルタリングするように設計された材料が望ましい場合がある（たとえば、バイザを溶接する際に使用するために既知である光遮蔽材料を含む）。必要な場合は、アイウエア物品の任意のものに、バイザ部の外縁の全体または一部に隣接して発泡体または他の適当な材料のストリップを設けることにより、着用者の顔面に対するシールを形成しかつ／または必要な場合に周縁のはね返り保護を提供してもよい。いずれの場合も、アイウエア物品を使用することにより、マスクによって提供される呼吸保護が脅かされることも損なわれることもない。アイウエア物品に、平坦な透明ポリマーシート材料の周縁の一部または全体に沿って延在するフレームを設ける場合、シート材料を、フレームから取外し可能でありフレームにおいて交換可能であってもよく、それにより、シート材料が破棄される場合であってもフレームを保持することができる。
【００９３】
本発明は、その精神および範囲から逸脱することなくさまざまな変更態様および代替態様をとってもよい。したがって、本発明は上述したものに限定されるべきではなく、特許請求の範囲およびその任意の等価物において示される限定によって規制されるべきである、ということを理解されたい。また、本発明を、本明細書で特に開示していない任意の要素がなくても適当に実施することができる、ということも理解されたい。
【図面の簡単な説明】
【００９４】
【図１】呼吸ハーフマスクの側面図である。
【図２】図１のマスクの正面図である。
【図３】図１および図２に示すタイプの呼吸マスクと共に使用するために適した、本発明によるアイウエア物品の正面からの図である。
【図４】呼吸マスク上の適所にある図３のアイウエア物品を示す。
【図５】アイウエア物品の側部の呼吸マスクのヘッドバンドとの係合を示す、図４の拡大図である。
【図６】図５に類似し図３のアイウエア物品に対する変更を示す。
【図７】図５に類似し図３のアイウエア物品に対する変更を示す。
【図８】図５に類似し図３のアイウエア物品に対する変更を示す。
【図９】本発明による別のアイウエア物品の正面図である。
【図１０】図５に類似するが、ヘッドバンドは省略しており、図３のアイウエア物品に対するさらなる変更を示す。
【図１１】図５に類似するが、ヘッドバンドは省略しており、図３のアイウエア物品に対するさらなる変更を示す。
【図１２】図５に類似するが、ヘッドバンドは省略しており、図３のアイウエア物品に対するさらなる変更を示す。
【図１３】本発明による他のアイウエア物品の正面図である。
【図１４】本発明による他のアイウエア物品の正面図である。
【図１５】本発明による他のアイウエア物品の正面図である。
【図１６】本発明によるアイウエア物品と使用するアダプタの正面からの斜視図である。
【図１７】本発明によるアイウエア物品と使用するアダプタの側面からの斜視図である。
【図１８】呼吸マスクの呼気弁構造の一部を形成するアダプタに配置されたアイウエア物品の側面図である。
【図１９】別の呼吸マスクの斜視図である。
【図２０】フィルタが取り除かれた、図１９の呼吸マスクの適所にある別のアイウエア物品の正面図である。
【図２１】図１９のアイウエア物品の支持体の拡大斜視図である。
【図２２】本発明による他のアイウエア物品の正面図である。
【図２３】本発明による他のアイウエア物品の正面図である。
【図２４】図２２および図２３のアイウエア物品を呼吸マスクのヘッドバンドに取り付けるためのスライディングコネクタの一形態を示す。
【図２５】図２２および図２３のアイウエア物品を呼吸マスクのヘッドバンドに取り付けるためのスライディングコネクタの一形態を示す
【図２６】本発明による別のアイウエア物品の正面図である。
【図２７】本発明による別のアイウエア物品を呼吸マスクのヘッドバンドに取り付けるためのスライディングコネクタの斜視図である。
【図２８】図２４および図２５のスライディングコネクタの代わりにアイウエア物品を呼吸マスクのヘッドバンドに取り付けるために使用することができるクリップを示す。
【図２９】図２４および図２５のスライディングコネクタの代わりにアイウエア物品を呼吸マスクのヘッドバンドに取り付けるために使用することができるクリップを示す。
【図３０】本発明による他のアイウエア物品の正面図である。
【図３１】本発明による他のアイウエア物品の正面図である。
【図３２】本発明による他のアイウエア物品の正面図である。
【図３３】図２の呼吸マスクの適所にある図３２のアイウエア物品を示す。
【図３４】図３２のアイウエア物品を変更したものを示す。
【図３５】図３３のマスクのヘッドバンド上で使用されるガイドを示す。
【図３６】開状態にある図３５のガイドを示す。
【図３７】別の呼吸マスクの正面図である。
【図３８】図３７のマスクと使用するために適したアイウエア物品の正面図である。
【図３９】折畳み位置にある平坦折畳み型呼吸マスクの正面図である。
【図４０】開位置にある平坦折畳み型呼吸マスクの正面図である。
【図４１】アイウエア物品と使用する図３９および図４０のマスクを示す側面図である。
【図１】
2005532865.tif 000003
【図２】
2005532865.tif 000004
【図３】
2005532865.tif 000005
【図４】
2005532865.tif 000006
【図５】
2005532865.tif 000007
【図６】
2005532865.tif 000008
【図７】
2005532865.tif 000009
【図８】
2005532865.tif 000010
【図９】
2005532865.tif 000011
【図１０】
2005532865.tif 000012
【図１１】
2005532865.tif 000013
【図１２】
2005532865.tif 000014
【図１３】
2005532865.tif 000015
【図１４】
2005532865.tif 000016
【図１５】
2005532865.tif 000017
【図１６】
2005532865.tif 000018
【図１７】
2005532865.tif 000019
【図１８】
2005532865.tif 000020
【図１９】
2005532865.tif 000021
【図２０】
2005532865.tif 000022
【図２１】
2005532865.tif 000023
【図２２】
2005532865.tif 000024
【図２３】
2005532865.tif 000025
【図２４】
2005532865.tif 000026
【図２５】
2005532865.tif 000027
【図２６】
2005532865.tif 000028
【図２７】
2005532865.tif 000029
【図２８】
2005532865.tif 000030
【図２９】
2005532865.tif 000031
【図３０】
2005532865.tif 000032
【図３１】
2005532865.tif 000033
【図３２】
2005532865.tif 000034
【図３３】
2005532865.tif 000035
【図３４】
2005532865.tif 000036
【図３５】
2005532865.tif 000037
【図３６】
2005532865.tif 000038
【図３７】
2005532865.tif 000039
【図３８】
2005532865.tif 000040
【図３９】
2005532865.tif 000041
【図４０】
2005532865.tif 000042
【図４１】
2005532865.tif 000043
【国際調査報告】
2005532865.tif 000044
2005532865.tif 000045
2005532865.tif 000046